(57)【特許請求の範囲】
【請求項１】
直交偏光状態にある光ビームの第１の光学部分及び第２の光学部分によって通過された光路長の差を補償するための方法であって、
前記光ビームを入力ポートで受信するステップ；
前記光ビームを、それぞれ第１の偏光状態及び第２の偏光状態にある前記第１の光学部分及び前記第２の光学部分に空間的に分割するために、第１のウォークオフ結晶に前記光ビームを向けるステップであって、前記第１の偏光状態と前記第２の偏光状態とは、互いに直交しており、前記第１の光学部分は、ウォークオフ結晶によってウォークオフされ、前記第２の光学部分は、ウォークオフ無しに通過するステップ；
前記第１の光学部分及び前記第２の光学部分の偏光状態を交代させるステップ；及び
前記第１の光学部分及び前記第２の光学部分の偏光状態が交代した後、前記第１の光学部分及び前記第２の光学部分を、第２のウォークオフ結晶に向けるステップであって、前記第２のウォークオフ結晶は、前記第１のウォークオフ結晶とは反対の方向に向けられているので、前記第２の光学部分は、前記ウォークオフ結晶によってウォークオフされ、前記第１の光学部分は、ウォークオフ無しに通過し、前記第１のウォークオフ結晶及び前記第２のウォークオフ結晶の厚さは、前記第１の光学部分及び前記第２の光学部分のそれぞれによって通過される光路長を調整するように選択されるステップ、を含み、
前記第１のウォークオフ結晶及び前記第２のウォークオフ結晶の厚さが、前記第１のウォークオフ結晶及び前記第２のウォークオフ結晶の下流に配置された半波長板から生じ、前記第１の光学部分及び前記第２の光学部分の内の一方によって通過され、前記第１の光学部分及び前記第２の光学部分の内の他方によっては通過されない光路の差を補償するように選択される、方法。
【請求項２】
光ビームの波長成分を、ポートアレイの入力ポートから、前記ポートアレイの少なくとも１つの出力ポートに向ける方法であって、
第１の波長選択スイッチに関連付けられた前記ポートアレイの第１の入力ポートにおいて、第１の光ビームを受信するステップ；
第２の波長選択スイッチに関連付けられた前記ポートアレイの第２の入力ポートにおいて、第２の光ビームを受信するステップ；
前記第１の光ビームを、それぞれ第１の偏光状態及び第２の偏光状態にある第１の光学部分及び第２の光学部分に空間的に分割するために、第１のウォークオフ結晶に前記第１の光ビームを向けるステップであって、前記第１の偏光状態と前記第２の偏光状態とは、互いに直交しており、前記第１の光学部分は、ウォークオフ結晶によってウォークオフされ、前記第２の光学部分は、ウォークオフ無しに通過するステップ；
前記第２の光ビームを、それぞれ第１の偏光状態及び第２の偏光状態にある第３の光学部分及び第４の光学部分に空間的に分割するために、前記第１のウォークオフ結晶に前記第２の光ビームを向けるステップであって、前記第３の光学部分は、前記ウォークオフ結晶によってウォークオフされ、前記第４の光学部分は、ウォークオフ無しに通過するステップ；
前記第１の光学部分、前記第２の光学部分、前記第３の光学部分、及び、前記第４の光学部分の偏光状態を交代させるステップ；
前記第１の光学部分、前記第２の光学部分、前記第３の光学部分、及び、前記第４の光学部分の偏光状態が交代した後、前記第１の光学部分、前記第２の光学部分、前記第３の光学部分、及び、前記第４の光学部分を、第２のウォークオフ結晶に向けるステップであって、前記第２のウォークオフ結晶は、前記第１のウォークオフ結晶とは反対の方向に向けられているので、前記第２の光学部分及び前記第４の光学部分は、前記第２のウォークオフ結晶によってウォークオフされ、前記第１の光学部分及び前記第３の光学部分は、ウォークオフ無しに通過し、前記ウォークオフ結晶の厚さは、前記第１の光学部分、前記第２の光学部分、前記第３の光学部分、及び、前記第４の光学部分のそれぞれによって通過される光路長を調整するように選択されるステップ；
前記第１の光学部分、前記第２の光学部分、前記第３の光学部分、及び、前記第４の光学部分の前記波長成分を空間的に分割するステップ；
空間的に分割した前記波長成分の焦点を、プログラムによって制御可能な光位相変調器に合わせ、前記第１の光ビーム及び前記第２の光ビームの前記波長成分を、前記変調器の波長分散軸に沿って空間的に分割するステップ；及び、
前記変調器の波長分散軸に直交する方向に沿って、前記変調器の位相シフトプロファイルを調整し、前記波長成分の内の１つを個別に、選択的に出力ポートに向けるステップ、を含み、
前記第１のウォークオフ結晶及び前記第２のウォークオフ結晶の厚さが、さらに、１つ又は複数の上流又は下流の光学素子から生じ、前記第１の光学部分及び前記第２の光学部分の内の一方によって通過され、前記第１の光学部分及び前記第２の光学部分の内の他方によっては通過されず、前記第３の光学部分及び前記第４の光学部分の内の一方によって通過され、前記第３の光学部分及び前記第４の光学部分の内の他方によっては通過されない光路の差を補償するように選択される、方法。
【請求項３】
前記光学素子が、前記第１のウォークオフ結晶及び前記第２のウォークオフ結晶の下流に配置された半波長板である、請求項２に記載の方法。
【請求項４】
第１の入力ポートが、第２の入力ポートに対して、波長分散軸と平行な軸の周囲に、角度を有してオフセットされている、請求項２に記載の方法。
【請求項５】
光ビームを受信するための複数の第１のポートと、光ビームを受信するための複数の第２のポートと、を有する光学ポートアレイ；
前記光ビームのそれぞれを、第１の偏光状態及び第２の偏光状態にある第１の光学部分及び第２の光学部分に空間的に分割する第１のウォークオフ結晶であって、前記第１の偏光状態及び前記第２の偏光状態は、互いに直交しており、前記第１の光学部分は、前記第１のウォークオフ結晶によってウォークオフされ、前記第２の光学部分は、ウォークオフ無しに通過する第１のウォークオフ結晶；
前記光ビームの前記第１の光学部分及び前記第２の光学部分の偏光状態を交代させる第１の半波長板；
前記第１のウォークオフ結晶とは反対の方向に向けられた第２のウォークオフ結晶であって、前記第２の光学部分は、前記第２のウォークオフ結晶によってウォークオフされ、前記第１の光学部分は、ウォークオフされることなく通過する第２のウォークオフ結晶；及び、
前記光ビームの前記第２の光学部分又は前記光ビームの前記第１の光学部分を受信するための、セグメント化された半波長板、を含み、
前記第１のウォークオフ結晶及び前記第２のウォークオフ結晶の厚さが、前記第１の光学部分及び前記第２の光学部分によって通過される光路長を調整し、前記セグメント化された半波長板を通過する前記第１の光学部分又は前記第２の光学部分と、前記セグメント化された半波長板を通過しない前記第１の光学部分及び前記第２の光学部分の内の他方と、から生じる光路の差を補償するように選択されている、光学デバイス。
【請求項６】
さらに、前記光ビームの前記第１の光学部分及び前記第２の光学部分を受信し、前記第１の光学部分及び前記第２の光学部分を、波長分散軸に沿って複数の波長成分に空間的に分割する分散素子であって、ポート軸は、前記波長分散軸に直交しており、前記複数の第１のポートは、前記ポート軸を含む第１の平面に延在しており、前記複数の第２のポートは、前記ポート軸を含む第２の平面に延在しており、前記第１の平面及び前記第２の平面は、互いに対して平行であり、前記波長分散軸に沿って互いからオフセットされており、前記複数の第１のポートは、前記複数の第２の入力ポートに対して、前記波長分散軸と平行な軸の周囲に、角度を有してオフセットされている分散素子；
複数の波長成分の焦点を合わせるための集束素子；及び、
集束した複数の波長成分を受信するための、プログラムによって制御可能な光位相変調器であって、前記変調器は、前記複数の第１のポートの内のいずれか１つから受信した波長成分を、前記複数の第１のポートの内の選択された１つに誘導するように構成されており、さらに、前記複数の第２のポートの内のいずれか１つから受信した波長成分を、前記複数の第２のポートの内の選択された１つに誘導するように構成されている光位相変調器、を含む、請求項５に記載の光学デバイス。
【請求項７】
前記複数の第１のポートが、前記ポート軸に沿って、前記複数の第２のポートと交互に配置されている、請求項６に記載の光学デバイス。
【請求項８】
プログラムによって制御可能な前記光位相変調器が、液晶ベースの位相変調器を含む、請求項６に記載の光学デバイス。
【請求項９】
前記液晶ベースの位相変調器が、ＬＣｏＳデバイスである、請求項８記載の光学デバイス。
【請求項１０】
前記分散素子が、回折格子及びプリズムから成る群から選択される、請求項６に記載の光学デバイス。
【請求項１１】
さらに、前記光学ポートアレイから受信した前記光ビームを拡大し、拡大された前記光ビームを前記分散素子に向けるための光学系を含む、請求項６に記載の光学デバイス。
【請求項１２】
前記光学系が、第１の方向において第１の拡大係数を有し、前記第１の方向に直交する第２の方向において第２の拡大係数を有しており、前記第１の拡大係数は、前記第２の拡大係数とは異なっていて、
前記第１の方向が、波長分散軸に対して平行であり、前記波長分散軸に沿って、前記光ビームは空間的に分割され、前記第１の拡大係数は、前記第２の拡大係数よりも小さい、請求項１１に記載の光学デバイス。
【発明の詳細な説明】
【技術分野】
【０００１】
光ネットワークは、可視光信号の、源から目標への動的なルーティングのために、波長選択スイッチ（ＷＳＳ）を用いる。ＷＳＳデバイスは、しばしば、ルーティングを行うために、反射型液晶パネル（ＬＣｏＳ）デバイス又は微小電子機械システム（ＭＥＭＳ）ミラーアレイのような波長操作素子に依存する。
【背景技術】
【０００２】
ＬＣｏＳデバイスは、液晶材料を含んでおり、当該液晶材料は、透明電極を有する透明ガラス層と、個別にアドレス可能な画素の２次元配列に分割されたシリコン基板との間に挟まれている。各画素は、電圧信号によって、個別にドライブ可能であり、光信号への局所的な位相変化を供給し、それによって、位相操作領域の２次元配列を供給している。個別のスペクトル成分の操作は、光信号が、回折格子等の回折素子によって空間的に分割されていると可能である。スペクトル成分の空間的分割は、ＬＣｏＳデバイスの所定の領域に向けられており、対応する画素を所定の方法でドライブすることによって、個別に操作され得る。
【発明の概要】
【発明が解決しようとする課題】
【０００３】
直交偏光状態にある光ビームの第１及び第２の光学部分によって通過された光路長の差を補償するための方法及び装置が供給される。当該方法によると、光ビームは、入力ポートで受信され、それぞれ第１及び第２の偏光状態にある第１の光学部分及び第２の光学部分に光ビームを空間的に分割するために、第１のウォークオフ結晶に向けられる。第１の偏光状態と第２の偏光状態とは、互いに直交している。第１の光学部分は、ウォークオフ結晶によってウォークオフされ、第２の光学部分は、ウォークオフ無しに通過する。第１及び第２の光学部分の偏光状態は交代する。第１及び第２の光学部分の偏光状態が交代した後、第１の光学部分及び第２の光学部分は、第２のウォークオフ結晶に向けられる。第２のウォークオフ結晶は、第１のウォークオフ結晶とは反対の方向に向けられているので、第２の光学成分は、ウォークオフ結晶によってウォークオフされ、第１の光学成分は、ウォークオフ無しに通過する。第１のウォークオフ結晶及び第２のウォークオフ結晶の厚さは、第１の光学部分及び第２の光学部分のそれぞれによって通過される光路長を調整するように選択される。
【課題を解決するための手段】
【０００４】
１つの具体的な実施態様では、光学デバイスは、光学ポートアレイ、第１のウォークオフ結晶、第１の半波長板、第２のウォークオフ結晶、及び、セグメント化された半波長板を含んでいる。光学ポートアレイは、光ビームを受信するための複数の第１のポートと、光ビームを受信するための複数の第２のポートと、を有している。第１のウォークオフ結晶は、光ビームのそれぞれを、それぞれ第１及び第２の偏光状態にある第１の光学部分及び第２の光学部分に空間的に分割する。第１及び第２の偏光状態は、互いに直交している。第１の光学部分は、第１のウォークオフ結晶によってウォークオフされ、第２の光学部分は、ウォークオフ無しに通過する。第１の半波長板は、光ビームの第１及び第２の光学部分の偏光状態を交代させる。第２のウォークオフ結晶は、第１のウォークオフ結晶とは反対の方向に向けられているので、第２の光学部分は、第２のウォークオフ結晶によってウォークオフされ、第１の光学部分は、ウォークオフ無しに通過する。セグメント化された半波長板は、光ビームの第２の光学部分又は光ビームの第１の光学部分を受信する。
【図面の簡単な説明】
【０００５】
【図１】ＬＣｏＳデバイスを用いたＷＳＳ等の光学配置への単一入力ポートを示す図である。
【図２】光路補償装置の一例を示す図である。
【図３ａ】図２に示された光路補償装置を採用し得る自由空間等の、簡略化された光学配置の一例の上面図である。
【図３ｂ】図２に示された光路補償装置を採用し得る自由空間等の、簡略化された光学配置の一例の側面図である。
【発明を実施するための形態】
【０００６】
図１は、ＬＣｏＳデバイスを用いたＷＳＳ等の光学配置への単一の入力ポート１１０を示している。このようなデバイスへの入力ビーム１１５は、しばしば極めて非点収差であり得る。図１の描写では、ビーム１１５は、ｙ軸に沿って小さなウエスト（waist）を有し、ｚ軸に沿って大きなウエスト（waist）を有している。ランダムに偏光したビーム１１５は、まず、ウォークオフ結晶１２０に入り、当該ビームは、２つの直交偏光ビーム、すなわちウォークオフビーム１５０と通過ビーム１６０とに分割される。図１において、一方の偏光成分（例えば垂直又はｖ成分）は垂直矢印で、他方の偏光成分（例えば水平又はｈ成分）は水平矢印で示されている。ウォークオフ結晶１２０のウォークオフ方向と、半波長板１３０によって引き起こされる交代の方向とは、前方又は下流の方向、すなわち正のｚ方向に伝搬する光ビームの偏光成分に関して記載されるであろう。
【０００７】
ウォークオフ結晶１２０から出ている２つの空間的に分割されたビーム１５０及び１６０の両方を、同じ偏光状態にするために、ウォークオフビーム１５０は、半波長板１３０を通過し、半波長板１３０は、当該ウォークオフビームを、ｈ‐偏光状態からｖ‐偏光状態に交代させる。ｖ‐偏光ビーム１６０は、半波長板１３０を通過しない。結果として、ビーム１５０及び１６０は、両方とも同じ偏光状態にある。
【０００８】
図１に示された配置で１つ問題となるのは、２つのビーム１５０及び１６０が、ウォークオフ結晶１２０及び半波長板１３０ゆえに、異なる光路長に亘って伝搬するということである。これは、入射する非点収差ビームが小さいウエストを有する場合に問題となり得る。例えば、ビームのウエストが約３．５ミクロンである場合、そのレイリー長又はレンジは約３０ミクロンである。２つのビームによって経験される路長の差は、一般的に、この距離よりも小さいことが望ましい。
【０００９】
図１の例では、ウォークオフビーム１５０は、通過ビーム１６０と比較して、約２００ミクロンの有効伝搬距離を移動し得る。同様に、半波長板１３０を通過する場合、ウォークオフビーム１５０は、通過ビーム１６０と比較して、約３０ミクロンの有効伝搬距離を移動し得る。従って、２つのビームが移動する有効伝搬距離の合計における差は、約１７０ミクロンである。明らかに、この距離は、ビームのレイリーレンジと比較して大きい。
【００１０】
この問題に対処する１つの方法は、有効伝搬距離の総計におけるこの差を、互いに反対に方向付けられた２つのウォークオフ結晶を用いることによって、補償することである。この場合、一方の偏光状態にあるビームは、第２のウォークオフ結晶ではなく、第１のウォークオフ結晶内に、有効伝搬距離の差を蓄積するが、他方の偏光状態にあるビームは、第１のウォークオフ結晶ではなく、第２のウォークオフ結晶内に、有効伝搬距離の差を蓄積する。図２は、この方法で動作可能な光路補償装置の一例を示している。
【００１１】
図２に示されているように、ウォークオフビーム２３５は、第１のウォークオフ結晶２２０において、通過ビーム２２５に対して、９０ミクロンの有効伝搬距離の差を経験している。半波長板２５０は、ビーム２２５の偏光状態を、水平から垂直に交代させるので、ビーム２２５は、第２のウォークオフ結晶２４０によってウォークオフされるであろう。同様に、半波長板２５０は、ビーム２３５の偏光状態を垂直から水平に交代させる。結果として、ビーム２２５は、第２のウォークオフ結晶２４０において、ビーム２３５に対して、１２０ミクロンの有効伝搬距離の差を経験している。加えて、ビーム２３５は、ビーム２２５に対して、３０ミクロンの付加的な有効伝搬距離の差を経験している。なぜなら、ビーム２２５は、半波長板２３０を通過するからである。従って、ビーム２２５は、合計で１２０ミクロンの有効伝搬距離の差を経験し、ビーム２３５も、合計で１２０ミクロンの有効伝搬距離の差を経験する（すなわち９０＋３０ミクロン）。結果として、両方のビームは、同じ路長に亘って伝搬する。
【００１２】
図２に示された光路補償装置の例が示しているように、第２のウォークオフ結晶２４０の厚さは、１つのビームのみが通過する第１のウォークオフ結晶２２０及び半波長板２３０の両方の有効伝搬距離の差を補償するように選択される。従って、２つのウォークオフ結晶２２０及び２４０の厚さは、互いに異なっており、この厚さは、それぞれウォークオフ結晶を通過するウォークオフビームが移動する付加的な路長を決定する。
【００１３】
図２は、光学配置の単一の光入力ポートを示している。複数のポートを用いるデバイスによって受信された光ビームは、同様の方法で、２つの、直交偏光状態にあり、空間的に分割された、それぞれの入射ビームが分かれるビームが、同じ路長に亘って伝搬することを確実化するために処理され得る。これらの光学配置が、多波長スイッチの機能を含む場合は、レンズ、分散体、及び、空間光変調器等の光学素子の共通のセットを共有し得る。このような方法及び技術を用いる波長選択スイッチの一例は、以下に、図３Ａ及び図３Ｂとの関連において記載されるであろう。
【００１４】
図３Ａ及び図３Ｂはそれぞれ、本発明の態様と関連して用いられ得る自由空間ＷＳＳ１００等の、簡略化された光学配置の一例の上面図及び側面図である。光は、入力ポート及び出力ポートとして用いられる光ファイバ等の光導波路を通じて、ＷＳＳ１００に入力及び出力される。ファイバコリメータアレイ１０１は、第１のＷＳＳに関連付けられた第１のファイバ系列１２０と、第２のＷＳＳに関連付けられた第２のファイバ系列１３０と、を含んでいる。個々のファイバは、コリメータ１０２に関連付けられており、コリメータ１０２は、光を各ファイバから自由空間ビームに転換する。
【００１５】
図３Ｂに最も良好に示されているように、第１のファイバ系列３２０のファイバ３２０１、３２０２、３２０３、３２０４は、第２のファイバ系列３３０のファイバ３３０１、３３０２、３３０３と交互に配置されている。さらに、図３Ｂからわかるように、ファイバ系列３２０のファイバは、第２のファイバ系列３３０のファイバから角度を有してオフセットされている。図２に示したように、この角度を有したオフセットは、２つの異なるＷＳＳに関連付けられた波長を、ＬＣｏＳデバイス２１上でｙ方向（ポート軸）において、互いから空間的にオフセットさせる。
【００１６】
図２に示された型の光路補償装置は、各ファイバ／コリメータ対から、光ビームを受信する。図２及び図３では、同様の要素には同じ参照符号が付されている。図３Ｂには、２つの代表的なビームが図示されており、第１のビームは、（第１のＷＳＳに関連付けられた）ファイバ３２０１によって受信され、第２のビームは、（第２のＷＳＳに関連付けられた）隣接するファイバ３３０１によって受信される。図示されているように、第１のウォークオフ結晶２２０を出た後、ファイバ３２０１によって受信された光ビームは、２つのビーム３２３及び３２５に分割され、これらのビームは、互いに対して直交偏光状態にある。同様に、第２のウォークオフ結晶２４０を出た後、ファイバ３３０１によって受信された光ビームは、２つのビーム３３３及び３３５に分割され、これらのビームは、互いに対して直交偏光状態にある。
【００１７】
２つの異なるＷＳＳからのビームは、これらのビームが、半波長板セグメント２３０を有するパターン化された半波長板２６０の平面内で交差するように角度付けられている。従って、パターン化された半波長板の位置は、ビームが光学ポートから放射されなければならない角度を決定する。図３Ｂの例では、第１のＷＳＳに関連付けられた、ポート３２０１からのビーム３２３と、第２のＷＳＳに関連付けられた、ポート１３０１からのビーム３３３とは、半波長板セグメント２３０において交差している。同様に、第１のＷＳＳに関連付けられた、ポート３２０１からのビーム３２５と、第２のＷＳＳに関連付けられた、ポート３３０１からのビーム３３５とは、半波長板セグメント２３０において交差している。１つの代替的な実施態様では、ビーム３２５及び３３５は、ビーム３２３及び３３３ではなく、半波長板２３０に向けられ得る。
【００１８】
以下の光路補償装置、望遠鏡対、又は、光ビーム拡大器は、ポートアレイ１０１からの自由空間光ビームを拡大する。第１の望遠鏡又はビーム拡大器は、光学素子１０６及び１０７から形成されており、第２の望遠鏡又はビーム拡大器は、光学素子１０４及び１０５から形成されている。
【００１９】
図３Ａ及び図３Ｂでは、２つの軸において光に作用する光学素子は、両方の図面において、両凸の光学素子として、実線で示されている。他方、１つの軸においてのみ光に作用する光学素子は、平凸レンズとして、作用を受ける軸において、実線で示されている。１つの軸においてのみ光に作用する光学素子は、光学素子が作用しない軸において、破線でも示されている。例えば、図３Ａ及び図３Ｂでは両方ともに、光学素子１０２、１０８、１０９、１１０は、実線で示されている。他方、光学素子１０６、１０７は、図３Ａでは実線で示されており（当該光学素子はｙ軸に沿って焦点を合わせる能力を有するので）、図３Ｂでは破線で示されている（当該光学素子は、ビームがｘ軸に沿って作用を受けない状態にするので）。光学素子１０４、１０５は、図３Ｂでは実線で示されており（当該光学素子はｘ軸に沿って焦点を合わせる能力を有するので）、図３Ａでは破線で示されている（当該光学素子は、ビームがｙ軸に沿って作用を受けない状態にするので）。
【００２０】
各望遠鏡は、ｘ方向及びｙ方向に関して、異なる拡大係数で形成され得る。例えば、ｘ方向において光を拡大する光学素子１０４及び１０５から形成される望遠鏡の拡大は、ｙ方向において光を拡大する光学素子１０６及び１０７から形成される望遠鏡の拡大よりも小さい可能性がある。
【００２１】
一対の望遠鏡は、ポートアレイ１０１からの光ビームを拡大し、当該光ビームを、波長分散素子１０８（例えば回折格子又はプリズム）に光学的に結合し、波長分散素子１０８は、自由空間光ビームを、その構成波長又はチャネルに分割する。波長分散素子１０８は、光を、ｘ‐ｙ平面において、その波長に応じて、異なる方向に分散させるように作用する。分散素子からの光は、ビーム集束光学素子１０９に方向付けられている。
【００２２】
ビーム集束光学素子１０９は、波長分散素子１０８からの波長成分を、プログラムによって制御可能な光位相変調器に連結する。当該光位相変調器は、例えば、ＬＣｏＳデバイス１１０等の、液晶ベースの位相変調器であって良い。プログラムによって制御可能な光位相変調器は、その画素のそれぞれにおいて、位相シフトを生じさせ、当該位相シフトは、その表面を横断して、位相シフトプロファイルを生じさせる。図３に示されているように、波長成分は、ｘ軸に沿って分散している。従って、所定の波長の各波長成分は、ｙ方向に延在する画素１９のアレイに焦点を合わせている。図３Ａに例として、λ１、λ２、λ３で示された中心波長を有する、波長分散軸（ｘ軸）に沿ってＬＣｏＳデバイス１１０に焦点を合わせた３つの波長成分を示すが、これは限定を意図するものではない。
【００２３】
図３Ｂから最も良好に見て取れることに、ＬＣｏＳデバイス１１０から反射した後、各波長成分は、ビーム集束光学素子１０９、波長分散素子１０８、及び、光学素子１０６、１０７を通って、ポートアレイ１０１内の選択されたファイバに戻って連結され得る。従って、画素１９のｙ軸における適切な操作は、各波長成分を、選択された出力ファイバに、選択的かつ個別に誘導することを可能にする。
【００２４】
構造特性及び／又は方法論的行為に固有の言葉で、対象について記載してきたが、添付の請求項に規定された対象は、必ずしも上述の具体的な特徴又は行為に限定されるものではないと理解すべきである。
【符号の説明】
【００２５】
１９  画素
１００  自由空間ＷＳＳ
１０１  ファイバコリメータアレイ、ポートアレイ
１０２  コリメータ
１０２、１０４、１０５、１０６、１０７、１０８、１０９、１１０  光学素子
１０８  波長分散素子
１０９  ビーム集束光学素子
１１０  入力ポート、光学素子、ＬＣｏＳデバイス
１１５  入力ビーム、ビーム
１２０  ウォークオフ結晶、第１のファイバ系列
１３０  半波長板、第２のファイバ系列
１５０  ウォークオフビーム、ビーム
１６０  通過ビーム、偏光ビーム、ビーム
２２０  第１のウォークオフ結晶
２２５  通過ビーム、ビーム
２３０  半波長板、半波長板セグメント
２３５  ウォークオフビーム、ビーム
２４０  第２のウォークオフ結晶
２５０  半波長板
２６０  半波長板
３２０  第１のファイバ系列
３２０１、３２０２、３２０３、３２０４  ファイバ
３２０１  ポート
３２３、３２５、３３３、３３５  ビーム
３３０  第２のファイバ系列
３３０１、３３０２、３３０３  ファイバ
３３０１  ポート
λ１、λ２、λ３  中心波長
【図１】
0006688797.tif 000002
【図２】
0006688797.tif 000003
【図３Ａ】
0006688797.tif 000004
【図３Ｂ】
0006688797.tif 000005